(57)【特許請求の範囲】
【請求項１】
ローミング中の無線通信装置の加入者の情報の管理を行う加入者管理サーバであって、
時刻情報の送信を要求する位置登録要求信号を受信する手段と、
時刻サーバに接続されたローミング元の加入者管理サーバに対して、前記時刻情報の送信を要求する位置登録要求信号を送信した前記ローミング中の無線通信装置の位置を示す情報とともに前記時刻情報の送信を要求する位置登録要求信号を送信する手段と、
前記ローミング元の加入者管理サーバから、前記時刻サーバが前記時刻情報の送信を要求する位置登録要求信号を送信した前記ローミング中の無線通信装置の位置を示す情報に基づいて決定した前記時刻情報を受信する手段と、
前記時刻情報の送信を要求する位置登録要求信号を送信した前記ローミング中の無線通信装置の位置に基づいて決定した前記時刻情報を送信する手段と
を備えたことを特徴とする加入者管理サーバ。
【請求項２】
ローミング中の無線通信装置の加入者の情報の管理を行う加入者管理サーバにおける時刻情報送信方法であって、
時刻情報の送信を要求する位置登録要求信号を受信して、前記時刻情報の送信を要求する位置登録要求信号を送信したローミング中の無線通信装置の位置を示す情報とともに、時刻サーバに接続されたローミング元の加入者管理サーバに対して送信するステップと、
前記ローミング元の加入者管理サーバからの、前記時刻サーバが前記時刻情報の送信を要求する位置登録要求信号を送信した前記ローミング中の無線通信装置の位置に基づいて決定した前記時刻情報を送信するステップと
を備えることを特徴とする時刻情報送信方法。
【請求項３】
ローミング中の無線通信装置の加入者の情報の管理を行う加入者管理サーバおよびローミング元の加入者管理サーバに接続された時刻サーバを含むネットワークシステムであって、
前記加入者管理サーバは、
無線通信装置から時刻情報の送信を要求する位置登録要求信号を受信する手段と、
前記ローミング元の加入者管理サーバを介して前記時刻サーバへ送信される前記時刻情報の送信を要求する位置登録要求信号を送信した前記ローミング中の無線通信装置の位置を示す情報とともに、前記時刻情報の送信を要求する位置登録要求信号を前記ローミング元の加入者管理サーバへ送信する手段と
を備え、
前記時刻サーバは、
時刻を管理する手段と、
前記ローミング元の加入者管理サーバを介して、前記加入者管理サーバが前記時刻情報の送信を要求する位置登録要求信号とともに送信した前記時刻情報の送信を要求する位置登録要求信号を送信した前記ローミング中の無線通信装置の位置を示す情報を受信する手段と、
前記時刻情報の送信を要求する位置登録要求信号を送信した前記ローミング中の無線通信装置の位置に基づいて決定した前記時刻情報を送信する手段と
を備えたことを特徴とするネットワークシステム。
【請求項４】
ローミング中の無線通信装置の加入者の情報の管理を行う加入者管理サーバおよびローミング元の加入者管理サーバに接続された時刻サーバを含むネットワークシステムにおける時刻情報送信方法であって、
前記加入者管理サーバにおいて、
無線通信装置から時刻情報の送信を要求する位置登録要求信号を受信するステップと、
前記ローミング元の加入者管理サーバを介して前記時刻サーバへ送信される前記時刻情報の送信を要求する位置登録要求信号を送信した前記ローミング中の無線通信装置の位置を示す情報とともに、前記時刻情報の送信を要求する位置登録要求信号を前記ローミング元の加入者管理サーバへ送信するステップと
前記時刻サーバにおいて、
前記ローミング元の加入者管理サーバを介して、前記加入者管理サーバが前記時刻情報の送信を要求する位置登録要求信号とともに送信した前記時刻情報の送信を要求する位置登録要求信号を送信した前記ローミング中の無線通信装置の位置を示す情報を受信するステップと、
前記時刻情報の送信を要求する位置登録要求信号を送信した前記ローミング中の無線通信装置の位置に基づいて決定した前記時刻情報を送信するステップと
を備えることを特徴とする時刻情報送信方法。
【発明の詳細な説明】
【０００１】
【発明の属する技術分野】
本発明は、加入者管理サーバ、ネットワークシステムおよび時刻情報送信方法に関し、より具体的には、携帯端末の時刻の補正に関し、ユーザの手間を軽減することができる加入者管理サーバ、ネットワークシステムおよび時刻情報送信方法に関する。
【０００２】
【従来の技術】
従来、時刻（管理）機能を有する携帯端末の時刻を補正する必要が生じた場合（例えば、携帯端末を海外に持っていった場合）、携帯端末のユーザが操作を行って時刻を補正していた。
【０００３】
【発明が解決しようとする課題】
しかし、時刻を補正する必要が生じる度に、ユーザが時刻補正の操作を行うのでは煩雑である。
【０００４】
また、例えば、ＩＭＴ−２０００方式の携帯端末は無線方式が同一であれば、海外でも使用可能であるため、時刻を補正する必要が生じることが多いと考えられる。
【０００５】
そこで、本発明の目的は、携帯端末の時刻の補正に関し、ユーザの手間を軽減することである。
【０００６】
【課題を解決するための手段】
上記目的を達成するために、請求項１に記載の発明は、ローミング中の無線通信装置の加入者の情報の管理を行う加入者管理サーバであって、時刻情報の送信を要求する位置登録要求信号を受信する手段と、時刻サーバに接続されたローミング元の加入者管理サーバに対して、前記時刻情報の送信を要求する位置登録要求信号を送信した前記ローミング中の無線通信装置の位置を示す情報とともに前記時刻情報の送信を要求する位置登録要求信号を送信する手段と、前記ローミング元の加入者管理サーバから、前記時刻サーバが前記時刻情報の送信を要求する位置登録要求信号を送信した前記ローミング中の無線通信装置の位置を示す情報に基づいて決定した前記時刻情報を受信する手段と、前記時刻情報の送信を要求する位置登録要求信号を送信した前記ローミング中の無線通信装置の位置に基づいて決定した前記時刻情報を送信する手段とを備えたことを特徴とする。
【０００７】
請求項２に記載の発明は、ローミング中の無線通信装置の加入者の情報の管理を行う加入者管理サーバにおける時刻情報送信方法であって、時刻情報の送信を要求する位置登録要求信号を受信して、前記時刻情報の送信を要求する位置登録要求信号を送信したローミング中の無線通信装置の位置を示す情報とともに、時刻サーバに接続されたローミング元の加入者管理サーバに対して送信するステップと、前記ローミング元の加入者管理サーバからの、前記時刻サーバが前記時刻情報の送信を要求する位置登録要求信号を送信した前記ローミング中の無線通信装置の位置に基づいて決定した前記時刻情報を送信するステップとを備えることを特徴とする。
【０００８】
請求項３に記載の発明は、ローミング中の無線通信装置の加入者の情報の管理を行う加入者管理サーバおよびローミング元の加入者管理サーバに接続された時刻サーバを含むネットワークシステムであって、前記加入者管理サーバは、無線通信装置から時刻情報の送信を要求する位置登録要求信号を受信する手段と、前記ローミング元の加入者管理サーバを介して前記時刻サーバへ送信される前記時刻情報の送信を要求する位置登録要求信号を送信した前記ローミング中の無線通信装置の位置を示す情報とともに、前記時刻情報の送信を要求する位置登録要求信号を前記ローミング元の加入者管理サーバへ送信する手段とを備え、前記時刻サーバは、時刻を管理する手段と、前記ローミング元の加入者管理サーバを介して、前記加入者管理サーバが前記時刻情報の送信を要求する位置登録要求信号とともに送信した前記時刻情報の送信を要求する位置登録要求信号を送信した前記ローミング中の無線通信装置の位置を示す情報を受信する手段と、前記時刻情報の送信を要求する位置登録要求信号を送信した前記ローミング中の無線通信装置の位置に基づいて決定した前記時刻情報を送信する手段とを備えたことを特徴とする。
【０００９】
請求項４に記載の発明は、ローミング中の無線通信装置の加入者の情報の管理を行う加入者管理サーバおよびローミング元の加入者管理サーバに接続された時刻サーバを含むネットワークシステムにおける時刻情報送信方法であって、前記加入者管理サーバにおいて、無線通信装置から時刻情報の送信を要求する位置登録要求信号を受信するステップと、前記ローミング元の加入者管理サーバを介して前記時刻サーバへ送信される前記時刻情報の送信を要求する位置登録要求信号を送信した前記ローミング中の無線通信装置の位置を示す情報とともに、前記時刻情報の送信を要求する位置登録要求信号を前記ローミング元の加入者管理サーバへ送信するステップと前記時刻サーバにおいて、前記ローミング元の加入者管理サーバを介して、前記加入者管理サーバが前記時刻情報の送信を要求する位置登録要求信号とともに送信した前記時刻情報の送信を要求する位置登録要求信号を送信した前記ローミング中の無線通信装置の位置を示す情報を受信するステップと、前記時刻情報の送信を要求する位置登録要求信号を送信した前記ローミング中の無線通信装置の位置に基づいて決定した前記時刻情報を送信するステップとを備えることを特徴とする。
【００２４】
以上の構成によれば、携帯端末の時刻の補正に関し、ユーザの手間を軽減することができる。
【００２５】
【発明の実施の形態】
以下、図面を参照しつつ、本発明の実施の形態について詳しく説明する。
【００２６】
（第１実施形態）
図１は、本発明の第１実施形態における携帯端末の構成例を示すブロック図である。図１に示す携帯端末１０は、携帯電話、ＰＨＳ(Personal Handyphone System)等の形態をとることができる。携帯端末１０は、制御部１１、時刻管理部１２、記憶部１３、音声入出力部１４、操作部１５、表示部１６、通信部１７、およびアンテナ１８を備える。制御部１１は、各種の制御を行う。時刻管理部１２は、時刻の管理を行う。この時刻は、例えば表示部１６によりユーザに表示することができる。記憶部１３は、各種の情報を記憶する。音声入出力部１４は、ユーザからの音声入力を受けたり、ユーザに対して音声を出力したりする。操作部１５は、ユーザからの操作入力（ボタン入力など）を受ける。携帯端末１０の電源の投入・切断は、操作部１５を通じて行われる。表示部１６は、各種の情報をユーザに表示する。通信部１７およびアンテナ１８は、基地局（無線基地局）２０と通信を行う際に用いられる。
【００２７】
本実施形態における携帯端末１０は、電源を投入すると自動的に時刻を補正する。
【００２８】
図２は、本実施形態における時刻補正の流れの例を示すフローチャートである。携帯端末１０の電源が投入されると（ステップＳ１０）、携帯端末１０は、基地局２０に対して、時刻情報の送信を要求する信号（時刻情報送信要求信号）を送信する（Ｓ２０）。より具体的には、制御部１１が、操作部１５から電源投入を知らされると、通信部１７およびアンテナ１８を介して基地局２０に時刻情報送信要求信号を送信する。
【００２９】
本実施形態において、携帯端末１０は、電源が投入されると位置登録を行うため、時刻情報送信要求信号を位置登録要求信号とともに基地局２０に送信する。ただし、時刻情報送信要求信号を位置登録要求信号とは別に送信するようにしてもよい。
【００３０】
基地局２０は、時刻情報送信要求信号を受信すると、携帯端末１０に対して、時刻情報を送信する（Ｓ３０）。基地局２０は自身で時刻の管理を行ってもよいし、時刻管理を行っている他の装置に時刻を問い合わせてもよい。基地局２０から携帯端末１０への送信は、例えば、報知チャネルを用いて行うことができる。報知チャネルは制御用チャネルの一つであり、同報性を備える。
【００３１】
携帯端末１０は、時刻情報を受信すると、その時刻情報に基づいて時刻を補正する（Ｓ４０）。より具体的には、制御部１１が、通信部１７およびアンテナ１８を介して基地局２０から時刻情報を受信すると、時刻管理部１３に対して、その時刻情報に基づいて時刻を補正するように指示する。
【００３２】
このように、携帯端末の電源を投入すると自動的に時刻が補正されるので、ユーザの手間が軽減される。
【００３３】
（第２実施形態）
図３は、本発明の第２実施形態におけるネットワークの構成例を示すブロック図である。１１０は携帯端末であり、例えば、第１実施形態で説明した携帯端末１０と同様の構成にすることができる。１２０は基地局であり、１５０は基地局１２０が携帯端末にサービスを提供する（サービス）エリアである。１３０は携帯端末の加入者の情報を管理する加入者管理サーバであり、１４０は時刻の管理を行う時刻サーバであり、１６０はネットワークである。
【００３４】
携帯端末１１０は、エリア１５０に入ると位置登録を行う。その際、基地局１２０を介して、加入者管理サーバ１３０に位置登録要求信号を送信する。
【００３５】
図４は、本実施形態における位置登録時の時刻補正の流れの例を示すフローチャートである。携帯端末１１０が加入者管理サーバ１３０に位置登録要求信号を送信すると（Ｓ１０５、Ｓ１１０）、加入者管理サーバ１３０は位置登録の処理を行い、時刻サーバ１４０に、携帯端末１１０の（加入者の）位置情報を送信する（Ｓ１１５、Ｓ１２０）。時刻サーバ１４０は位置情報に基づいて時刻情報（時刻データ）を生成する（Ｓ１２５）。位置情報としては、例えば基地局１２０の基地局番号を用いることができ、時刻サーバ１４０は基地局１２０の位置に応じて時刻情報を生成する。時刻サーバ１４０は生成した時刻情報を加入者管理サーバ１３０に送信する（Ｓ１３０、Ｓ１３５）。加入者管理サーバ１３０は携帯端末１１０に位置登録応答および時刻情報を送信する（Ｓ１４０、Ｓ１４５）。ここで、基地局１２０から携帯端末１１０への送信は、報知チャネルを用いて行うことができる。携帯端末１１０は、受信した時刻情報に基づいて時刻を補正（更新）する（Ｓ１５０）。
【００３６】
時刻補正は、携帯端末１１０のユーザによる操作を契機にして行うこともできるし、一定周期で行うこともできる。
【００３７】
図５は、本実施形態において、ユーザによる操作を契機に、または一定周期で時刻補正を行う場合の流れの例を示すフローチャートである。携帯端末１１０において、時間カウンタｉが周期ｎに達するか、またはユーザによる操作（要求）があった場合、携帯端末１１０から時刻サーバ１４０に、時刻情報の送信を要求する信号を送信する（Ｓ２０５）。カウンタｉが周期ｎに達したことにより信号を送信した場合には、時間カウンタｉをリセットし、再び時間をカウントする。時刻サーバ１４０は信号を受信すると（Ｓ２１０）、加入者管理サーバ１３０に加入者の位置情報を問い合わせる（Ｓ２１５）。そして、加入者管理サーバ１３０からの応答を受けると（Ｓ２２０）、その位置情報に基づいて時刻情報を生成する（Ｓ２２５）。そして、生成した時刻情報を携帯端末１１０に送信する（Ｓ２３０、Ｓ２３５）。携帯端末１１０は、受信した時刻情報に基づいて時刻を補正する（Ｓ２４０）。
【００３８】
図６は本実施形態におけるローミング時の時刻補正の流れの例を説明するための図であり、図７はその流れを示すフローチャートである。管理サーバ１３１およびエリア１５１はネットワークＡに関するものであり、管理サーバ１３２、時刻サーバ１４２およびエリア１５２はネットワークＢに関するものである。ここで、携帯端末１１０がネットワークＡからネットワークＢにローミングした場合を考える。
【００３９】
携帯端末１１０は、ローミングした際にも位置登録を行うことになる。携帯端末１１０が加入者管理サーバ１３２に位置登録要求信号を送信すると（Ｓ３０５、Ｓ３１０）、加入者管理サーバ１３２はローミング元の加入者管理サーバ１３１に位置登録要求信号を送信する（Ｓ３１５、Ｓ３２０）と、加入者管理サーバ１３１は位置登録の処理を行い、加入者管理サーバ１３２に位置登録応答を送信する（Ｓ３２５、Ｓ３３０）。そして、加入者管理サーバ１３２は、時刻サーバ１４２に、時刻情報の送信を要求する信号を送信する（Ｓ３３５、Ｓ３４０）。その際、携帯端末１１０の加入者の位置情報（例えば、エリア１５２を担当する基地局の番号）も送信する。時刻サーバ１４２は、その位置情報に基づいて時刻情報を生成する（Ｓ３４５）。そして、生成した時刻情報を加入者管理サーバ１３２に送信する（Ｓ３５０、Ｓ３５５）。加入者管理サーバ１３２は携帯端末１１０に位置登録応答および時刻情報を送信する（Ｓ３６０、Ｓ３６５）。携帯端末１１０は、受信した時刻情報に基づいて時刻を補正する（Ｓ３７０）。
【００４０】
なお、ステップＳ３１５〜Ｓ３３０の処理と、ステップＳ３３５〜Ｓ３５５の処理とは同時に行ってもよいし、ステップＳ３３５〜Ｓ３５５の処理を行ってからステップＳ３１５〜Ｓ３３０の処理を行ってもよい。
【００４１】
図８は本実施形態におけるローミング時の時刻補正の流れの別の例を説明するための図であり、図９はその流れを示すフローチャートである。管理サーバ１３１、時刻サーバ１４１およびエリア１５１はネットワークＡに関するものであり、管理サーバ１３２およびエリア１５２はネットワークＢに関するものである。ここで、携帯端末１１０がネットワークＡからネットワークＢにローミングした場合を考える。ただし、ネットワークＢに時刻サーバはないものとする。
【００４２】
携帯端末１１０が加入者管理サーバ１３２に位置登録要求信号を送信すると（Ｓ４０５、Ｓ４１０）、加入者管理サーバ１３２はローミング元の加入者管理サーバ１３１に位置登録要求信号を送信する（Ｓ４１５、Ｓ４２０）と、加入者管理サーバ１３１は、時刻サーバ１４２に、時刻情報の送信を要求する信号を送信する（Ｓ４２５、Ｓ４３０）。その際、携帯端末１１０の加入者の位置情報（例えば、エリア１５２を担当する基地局の番号）も送信する。時刻サーバ１４２は、その位置情報に基づいて時刻情報を生成する（Ｓ４３５）。そして、生成した時刻情報を加入者管理サーバ１３１に送信する（Ｓ４４０、Ｓ４４５）。加入者管理サーバ１３１は加入者管理サーバ１３２に位置登録応答および時刻情報を送信し（Ｓ４５０、Ｓ４５５）、加入者管理サーバ１３２は携帯端末１１０に位置登録応答および時刻情報を送信する（Ｓ４６０、Ｓ４６５）。携帯端末１１０は、受信した時刻情報に基づいて時刻を補正する（Ｓ４７０）。
【００４３】
本実施形態において、時刻サーバ１４０の代わりに、加入者管理サーバ１３０に時刻の管理を行わさせ、加入者管理サーバ１３０が時刻情報送信要求に直接応えるようにすることもできる。
【００４４】
また、時刻サーバ１４０を設けず、時刻サーバ１４０の機能を基地局１２０に持たせるようにすることもできる。
【００４５】
また、基地局１２０から携帯端末１１０への送信は、第１実施形態と同様に、例えば、報知チャネルを用いて行うことができる。報知チャネルは制御用チャネルの一つであり、同報性を備える。
【００４６】
（その他）
以上の説明では、携帯端末を例に説明したが、本発明は携帯端末以外の無線通信装置（例えば、無線通信機能を備えた家電製品（ＶＴＲなど））にも適用することができる。
【００４７】
【発明の効果】
以上説明したように本発明によれば、携帯端末の時刻の補正に関し、ユーザの手間を軽減することができる。例えば、携帯端末を海外に持っていった場合、電源を入れると、自動的にその国の時刻に合うように時刻補正がなされる。また、海外の現地時刻のみならず、自国の時刻も同時に表示させることが考えられる。
【図面の簡単な説明】
【図１】本発明の第１実施形態における携帯端末の構成例を示すブロック図である。
【図２】本発明の第１実施形態における時刻補正の流れの例を示すフローチャートである。
【図３】本発明の第２実施形態におけるネットワークの構成例を示すブロック図である。
【図４】本発明の第２実施形態における位置登録時の時刻補正の流れの例を示すフローチャートである。
【図５】本発明の第２実施形態において、ユーザによる操作を契機に、または一定周期で時刻補正を行う場合の流れの例を示すフローチャートである。
【図６】本発明の第２実施形態におけるローミング時の時刻補正の流れの例を説明するための図である。
【図７】本発明の第２実施形態におけるローミング時の時刻補正の流れの例を示すフローチャートである。
【図８】本発明の第２実施形態におけるローミング時の時刻補正の流れの別の例を説明するための図である。
【図９】本発明の第２実施形態におけるローミング時の時刻補正の流れの別の例を示すフローチャートである。
【符号の説明】
１０、１１０  携帯端末
１１  制御部
１２  時刻管理部
１３  記憶部
１４  音声入出力部
１５  操作部
１６  表示部
１７  通信部
１８  アンテナ
２０、１２０  基地局
１３０、１３１、１３２  加入者管理サーバ
１４０、１４１、１４２  時刻サーバ
１５０、１５１、１５２  エリア
１６０  ネットワーク
【図１】
0003872644.tif 000002
【図２】
0003872644.tif 000003
【図３】
0003872644.tif 000004
【図４】
0003872644.tif 000005
【図５】
0003872644.tif 000006
【図６】
0003872644.tif 000007
【図７】
0003872644.tif 000008
【図８】
0003872644.tif 000009
【図９】
0003872644.tif 000010